(57)【要約】  接合された構成要素キャリアリールを正確に整列させて連結するための接合テープが開示される。柔軟な接合テープによって、第１および第２のリールの結合部分での中断なく、構成要素を整列させたまま構成要素キャリアリールからつまみ上げることが可能になる。オプションとしての補剛ストリップが付いた接合テープは、接合されたリール間での軸方向および横方向での前後の動きを防ぐために柔軟だが強固な接続を提供する。本開示の接合テープを検出することで、接合中に不正確および不整合な構成要素を除去することが容易になる。接合テープは、片面が感圧接着組成物でコーティングされたプラスチックタイプの材料を含む。保護紙が、接着組成物を覆っている。接合テープおよび保護紙は、ずらしスリット配置を使用して複数の部分に分割されている。ずらしスリット配置は、構成要素キャリアリールに対して接合テープを適切に整列して、貼り付けるのを補助する。
2013544306.tif 000002
【特許請求の範囲】
【請求項１】
テープ材料と、
前記テープ材料の一面に塗布された粘着組成物を覆う保護紙であって、前記接着組成物が前記テープ材料を構成要素キャリアリール結合部に接着する、保護紙と、
前記保護紙からなる部分を簡単に取り外して前記接着組成物を露出させ、前記テープ材料を前記構成要素キャリアリール結合部に対して適切に整列させて貼り付けるため、前記テープ材料と前記保護紙との間に互い違いになった部分を形成するべく前記テープ材料および前記保護紙に入れられたずらしスリット配置と、を備える接合テープ。
【請求項２】
請求項１に記載の接合テープであって、
前記構成要素キャリアリール結合部は、第２の構成要素キャリアリールに対して横方向に整列される第１の構成要素キャリアリールを備える。
【請求項３】
前記接合テープが前記構成要素キャリアリール結合部に貼り付けられるときに前記構成要素キャリアリール結合部の軸方向または横方向の動きを防ぐために、また接合された前記第１および第２の構成要素キャリアリールを誘導感知または視覚感知して新しく送給される構成要素のために接合位置を決定するために、前記テープ材料に取り付けられ前記構成要素キャリアリール結合部に貼り付けられる補剛ストリップをさらに備える請求項１に記載の接合テープ。
【請求項４】
前記補剛ストリップは、金属材料を含み、前記金属材料は、黄銅、銅、青銅のうち少なくとも１つを含む、請求項３に記載の接合テープ。
【請求項５】
前記テープ材料は、柔軟なプラスチック材料を含み、前記プラスチック材料は、ポリエステルを含む、請求項１に記載の接合テープ。
【請求項６】
前記テープ材料における前記ずらしスリット配置は、第１のテープ部分、第２のテープ部分、第３のテープ部分を作り出し、各テープ部分の間の切り込みは、各前記テープ部分を最初に結合しておくのに役立ち、
前記保護紙における前記ずらしスリット配置は、第１の保護紙部分、第２の保護紙部分、第３の保護紙部分を作り出す、請求項１に記載の接合テープ。
【請求項７】
前記第１のテープ部分は、前記第１の保護紙部分にオフセットして接着し、
前記第２のテープ部分は、前記第２の保護紙部分にオフセットして接着し、
前記第３のテープ部分は、前記第３の保護紙部分にオフセットして接着している、請求項６に記載の接合テープ。
【請求項８】
プラスチックのテープ材料と、
前記テープ材料の一面に塗布された粘着組成物を覆う保護紙であって、前記接着組成物は、前記テープ材料を構成要素キャリアリール結合部に接着する、保護紙と、
前記保護紙からなる部分を簡単に取り外して前記接着組成物を露出させ、前記テープ材料を前記構成要素キャリアリール結合部に対して適切に整列させて貼り付けるため、前記テープ材料と前記保護紙との間に互い違いになった部分を形成するべく前記テープ材料および前記保護紙に入れられたずらしスリット配置と、
前記接合テープが前記構成要素キャリアリール結合部に貼り付けられるときに、前記構成要素キャリアリール結合部の軸方向または横方向の動きを防ぐために、前記テープ材料に貼り付けられる金属化補剛ストリップと、
を備える接合テープ。
【請求項９】
前記テープ材料における前記ずらしスリット配置は、第１のテープ部分、第２のテープ部分、第３のテープ部分を作り出し、
前記保護紙における前記ずらしスリット配置は、第１の保護紙部分、第２の保護紙部分、第３の保護紙部分を作り出す、請求項８に記載の接合テープ。
【請求項１０】
前記第１のテープ部分は、前記第１の保護紙部分にオフセットして接着し、
前記第２のテープ部分は、前記第２の保護紙部分にオフセットして接着し、
前記第３のテープ部分は、前記第３の保護紙部分にオフセットして接着している、請求項９に記載の接合テープ。
【請求項１１】
構成要素キャリアリールを接合する方法であって、
テープ材料を含む接合テープと、前記テープ材料の一面をコーティングする接着組成物と、前記テープ材料の前記一面の前記接着組成物を覆う保護紙と、を提供し、
ずらしスリット配置を利用して、前記テープ材料と前記保護紙とを、前記テープ材料および前記保護紙からなる、ずらして接着された部分へ分割し、
前記接合テープを、整列された第１の構成要素キャリアリールと、第２の構成要素キャリアリールとに接着して、前記第１の構成要素キャリアリールと前記第２の構成要素キャリアリールとの間に、強固かつ柔軟な結合部を形成することを含む方法。
【請求項１２】
前記接合テープを貼り付けて構成要素キャリアリール結合部を形成するときに前記構成要素キャリアリール結合部の軸方向または横方向の動きを防ぐために、また、新しく送給される構成要素のために接合位置を決定するべく接合された前記第１および第２の構成要素キャリアリールを誘導感知または視覚感知する目的で、前記テープ材料に取り付けられ前記構成要素キャリアリール結合部に貼り付けられる補剛ストリップを提供することをさらに含む、請求項１１に記載の方法。  
【請求項１３】
前記テープ材料における前記ずらしスリット配置は、第１のテープ部分、第２のテープ部分、第３のテープ部分を作り出し、前記保護紙における前記ずらしスリット配置は、第１の保護紙部分、第２の保護紙部分、第３の保護紙部分を作り出し、
前記第１のテープ部分は、前記第１の保護紙部分にオフセットして接着し、
前記第２のテープ部分は、前記第２の保護紙部分にオフセットして接着し、
前記第３のテープ部分は、前記第３の保護紙部分にオフセットして接着している、請求項１１に記載の方法。
【請求項１４】
前記第１の保護紙部分を前記テープ材料からなる第１の部分から取り外して、前記テープ材料からなる第１の部分の一面の前記接着組成物を露出させ、
前記テープ材料からなる第１の部分を、前記第１の構成要素キャリアリールの上面と、横方向に整列された前記第２の構成要素キャリアリールの上面と整列させ、
前記テープ材料からなる第１の部分を、前記第１の構成要素キャリアリールの前記上面と、横方向に整列された前記第２の構成要素キャリアリールの前記上面とに貼り付ける、ことをさらに含む、請求項１３に記載の方法。
【請求項１５】
前記第１の構成要素キャリアリールの前記上面と、前記第２の構成要素キャリアリールの前記上面とが、送り孔と構成要素ウェルを覆う上部カバーテープとを備える、請求項１４に記載の方法。
【請求項１６】
前記第３の保護紙部分を前記テープ材料からなる第３の部分から取り外して、前記テープ材料からなる第３の部分の一面の接着組成物を露出させ、
前記テープ材料からなる第３の部分を、前記第１の構成要素キャリアリールの下面と、横方向に整列された前記第２の構成要素キャリアリールの下面と整列させ、
前記テープ材料からなる第３の部分を、前記第１の構成要素キャリアリールの前記下面と、横方向に整列された前記第２の構成要素キャリアリールの前記下面とに貼り付ける、ことをさらに含む、請求項１３に記載の方法。
【請求項１７】
前記第１の構成要素キャリアリールの下面と、前記第２の構成要素キャリアリールの下面とが、構成要素ウェルの底面を備える、請求項１６に記載の方法。
【請求項１８】
前記テープ材料および前記保護紙における前記ずらしスリットでのせん断運動を利用して、前記テープ材料からなる第２の部分を、貼り付いている前記保護紙からなる第２の部分とともに取り外し、接合された前記第１の構成要素キャリアリールと前記第２の構成要素キャリアリールとから装置へと構成要素を正確に載せる機械を通じてシームレスな送給を可能にすることをさらに含む、請求項１３に記載の方法。
【請求項１９】
前記第１および第２の構成要素キャリアリールの送り孔を整列させるための整列固定具を使用して、前記第１の構成要素キャリアリールと前記第２の構成要素キャリアリールとを整列させることをさらに含み、
前記整列固定具は、前記接合テープを前記第１および第２の構成要素キャリアリールに貼り付けて前記第１および第２の構成要素キャリアリールの間に結合部を形成するときに妨げにはならない、請求項１３に記載の方法。
【請求項２０】
前記第１の構成要素キャリアリールを前記第２の構成要素キャリアリールと整列させるために、はさみに取り付けられたマンドレルを利用して、前記第１の構成要素キャリアリールと、前記第２の構成要素キャリアリールとを裁断することをさらに含む、請求項１１に記載の方法。
【発明の詳細な説明】
【技術分野】
【０００１】
本特許出願は、２０１０年９月１６日に出願された「静電気防止接合テープを用いてリールを正確に整列および接合するためのシステムおよび方法」と題する米国仮特許出願第６１／３８３，６１６号に、米国特許法第１１９（ｅ）条の下で優先権を主張するものであり、この出願は、参照によってその全体が本明細書に組み込まれる。
【０００２】
本開示の実施形態は、構成要素および構成要素キャリアリールに関する。本開示の実施形態は、さらに、構成要素キャリアリールを正確に、接合し、整列し、接続する技術に関する。本開示の実施形態は、また、適切に接合された構成要素キャリアリールから種々の装置へと正確に構成要素を配置することに関する。
【背景技術】
【０００３】
構成要素および回路基板の小型化が進むにつれて、高額な統合の問題を避けるため、より小さい構成要素には精密なリール間インターフェースが必要となっている。リール切り替え接続部において構成要素の欠落、誤り、置き違いが発生すると、完成後の回路基板あるいはその他の組立品の一稼働運転全体の損失になることもあり得る。しかし、接合誤差の後に続いて重大かつ高額な製品損失が起きることもあり得る。製品損失は、例えば、装置の修理、回路基板アセンブリの廃棄をともない、あるいは、さらに悲惨なことには、現場での不良品の発生をともなう。
【発明の概要】
【発明が解決しようとする課題】
【０００４】
提案された解決方法には、一定の長さと幅のボックス型の歯、スプロケットまたはノブを受け入れるための穴、色識別接合された映画フィルムなど、何らかの形態の整列ツールを整列テープまたは接合テープの上で使用することが含まれる。テープ自体の上に組み込まれた整列ツールのせいで、接合されたリールを効率的な方法で正確に整列させることが難しくなるため、これらの方法には問題がある。リールの接合の際に整列誤差が発生した場合、製造ラインでの製造がたびたび中断する。また、過去に提案された解決方法では、機械的または電気的構成要素を挿入する機械を通して構成要素キャリアリールを送給する場合、強固だが柔軟な結合部が維持されない。従来の設計による静電ショックを誘導するプラスチックキャリアは、従来の接合テープにおいてはさらに問題がある。単一の接合テープ設計を普遍的に使用できれば、構成要素キャリアリールの多様な寸法、形状、幅に適用することができる。
【０００５】
したがって、損失の大きい製造ラインの中断を防ぐために、誤差防止手段のあるリール接合の方法が必要とされている。改良された、費用効率の高い接合テープを使用して構成要素キャリアリールを正確に整列し接続することで、適切に整列された構成要素リールから構成要素を種々の装置に正確に配置する。
【課題を解決するための手段】
【０００６】
以下の概要は、開示された実施形態に特有の革新的な特徴のうちいくつかの理解を容易にするべく提供されるものであり、完全な説明であることを意図するものではない。本実施形態の様々な態様は、明細書全体、特許請求の範囲、図面、および要約の全体から完全に理解することができる。
【０００７】
したがって、本開示の実施形態の目的は、リール接合相互連結部の近傍でのつまみ位置を変える可能性のある、構成要素の誤配置を低減させることによって接合テープの信頼性を向上させることである。
【０００８】
本開示の実施形態の別の目的は、接合されたリールの完全な組み立てを達成するために、接合テープを１か所で用いる使いやすさを維持しながら、接合デザインの静電ショック誘発整列操作部からなる無駄な部分を除去または低減し、およびそのような無駄な部分を使用時に廃棄することを除去または低減することである。
【０００９】
本開示の実施形態の目的は、構成要素のリール送り孔の視覚的遮断を通じて、または接合部に組み込まれた誘導感応材料の使用を通じて、第１および第２の接合リール間の結合部分を検出する手段を提供する。
【００１０】
以下に説明するように、上記態様およびその他の態様を達成することができる。接合された構成要素キャリアリールを正確に整列させて連結するための接合テープが開示される。柔軟な接合テープによって、第１および第２のリールの結合部分での中断なく、構成要素を整列したまま構成要素キャリアリールからつまみ上げることが可能になる。オプションとしての補剛ストリップが付いた接合テープは、接合されたリール間での軸方向および横方向の前後の動きを防ぐために柔軟だが強固な接続を提供する。本開示の接合テープを検出することで、接合中に不正確および不整合な構成要素を除去することが容易になる。接合テープは、片面が感圧接着組成物でコーティングされたプラスチックタイプの材料を含む。保護紙は、接着組成物を覆っている。接合テープおよび保護紙は、ずらしスリット配置を使用して複数の部分に分割されている。ずらしスリット配置は、構成要素キャリアリールに対して接合テープを適切に整列して、貼り付けるのを補助する。
【００１１】
本開示の接合テープは、テープ材料と、テープ材料の一面に塗布された粘着組成物を覆う保護紙であって、接着組成物がテープ材料を構成要素キャリアリール結合部に接着する保護紙と、保護紙からなる部分を簡単に取り外して接着組成物を露出させ、テープ材料を構成要素キャリアリール結合部に対して適切に整列させて貼り付けるため、テープ材料と保護紙との間に互い違いになった部分を形成するべくテープ材料および保護紙に入れられたずらしスリット配置と、を備える。構成要素キャリアリール結合部は、第２の構成要素キャリアリールに対して横方向に整列される第１の構成要素キャリアリールを備える。テープ材料は、例えば、ポリエステルまたはその他の高分子材料などの薄膜プラスチック材料から作られてもよい。接合テープを構成要素キャリアリール接合部に貼り付けるときに、構成要素キャリアリール結合部が軸方向または横方向に動くのを防ぐために、黄銅、銅、青銅などからなる補剛ストリップをテープ材料に取り付けることができる。新しく送給される構成要素用に接合位置を決定するために、接合された構成要素キャリアリールを誘導感知または視覚感知する目的で金属化補剛ストリップを使用することもできる。
【００１２】
テープ材料におけるずらしスリット配置は、第１のテープ部分、第２のテープ部分、第３のテープ部分を作り出す。保護紙におけるずらしスリット配置は、第１の保護紙部分、第２の保護紙部分、第３の保護紙部分を作り出す。第１のテープ部分は、第１の保護紙部分にオフセットして接着し、第２のテープ部分は、第２の保護紙部分にオフセットして接着し、第３のテープ部分は、第３の保護紙部分にオフセットして接着している。
【００１３】
構成要素キャリアリールを接合する方法が開示される。この方法は、テープ材料を含む接合テープと、テープ材料の一面をコーティングする接着組成物と、テープ材料の一面の接着組成物を覆う保護紙と、を提供し、ずらしスリット配置を利用して、テープ材料と保護紙とを、テープ材料および保護紙からなる、ずらして接着された部分へ分割し、接合テープを、整列された第１の構成要素キャリアリールと、第２の構成要素キャリアリールとに接着して、第１の構成要素キャリアリールと第２の構成要素キャリアリールとの間に、強固かつ柔軟な結合部を形成することを含む。接合テープを貼り付けて構成要素キャリアリール結合部を形成するときに、構成要素キャリアリール結合部が軸方向または横方向に動くのを防ぐために、テープ材料に補剛ストリップを取り付けることもできる。新しく送給される構成要素のために接合位置を決定するために、接合された構成要素キャリアリールを誘導感知または視覚感知する目的で補剛ストリップを使用することもできる。テープ材料におけるずらしスリット配置は、第１のテープ部分、第２のテープ部分、第３のテープ部分を作り出し、各テープ部分の間の切り込みは、各テープ部分を最初に結合しておくのに役立ち、保護紙におけるずらしスリット配置は、第１の保護紙部分、第２の保護紙部分、第３の保護紙部分を作り出し、第１のテープ部分は、第１の保護紙部分にオフセットして接着し、第２のテープ部分は、第２の保護紙部分にオフセットして接着し、第３のテープ部分は、第３の保護紙部分にオフセットして接着している。
【００１４】
前記方法は、さらに、第１の保護紙部分をテープ材料からなる第１の部分から取り外して、テープ材料からなる第１の部分の一面の接着組成物を露出させ、テープ材料からなる第１の部分を、第１の構成要素キャリアリールの上面と、横方向に整列された第２の構成要素キャリアリールの上面と整列させ、テープ材料からなる第１の部分を、第１の構成要素キャリアリールの上面と、横方向に整列された第２の構成要素キャリアリールの上面とに貼り付けることを含む。第２の構成要素キャリアリールの上面は、送り孔と構成要素ウェルを覆う上部カバーテープとを備える。前記方法は、さらに、第３の保護紙部分をテープ材料からなる第３の部分から取り外して、テープ材料からなる第３の部分の一面の接着組成物を露出させ、テープ材料からなる第３の部分を、第１の構成要素キャリアリールの下面と、横方向に整列された第２の構成要素キャリアリールの下面と整列させ、テープ材料からなる第３の部分を、第１の構成要素キャリアリールの下面と、横方向に整列された第２の構成要素キャリアリールの下面とに貼り付けることを含む。第１の構成要素キャリアリールの下面と、第２の構成要素キャリアリールの下面とが、構成要素ウェルの底面を備える。
【００１５】
前記方法は、さらに、テープ材料および保護紙におけるずらしスリットでのせん断運動を利用して、テープ材料からなる第２の部分を、貼り付いている保護紙からなる第２の部分とともに取り外し、接合された第１の構成要素キャリアリールと第２の構成要素キャリアリールとから装置へと構成要素を正確に載せる機械を通じてシームレスな送給を可能にすることを含む。第１および第２の構成要素キャリアリールの送り孔を整列させるために整列固定具を使用することが可能であり、整列固定具は、接合テープを第１および第２の構成要素キャリアリールに貼り付けて第１および第２の構成要素キャリアリールの間に結合部を形成するときに妨げにならない。さらなる適切な整列を補助するために、第１の構成要素キャリアリールを第２の構成要素キャリアリールと整列させるべく、はさみに取り付けられたマンドレルを利用して、第１の構成要素キャリアリールと、第２の構成要素キャリアリールとを裁断することが可能である。
【００１６】
添付の図面では、同様の参照番号が、各図を通して同一の要素または機能的に類似した要素を指し、添付の図は本明細書に組み込まれ、本明細書の一部を形成するものであり、本実施形態をさらに例示し、発明の詳細な説明と共に本明細書に開示された実施形態を説明する役目を果たす。
【図面の簡単な説明】
【００１７】
【図１Ａ】本開示の実施形態による接合テープの第１の面の平面図である。
【図１Ｂ】本開示の実施形態による接合テープの第２の面の平面図である。
【図２Ａ】本開示の実施形態による接合テープの第１の面の分解図である。
【図２Ｂ】本開示の実施形態による接合テープの第２の面の分解図である。
【図３】本開示の実施形態による接合テープの複数のユニットの平面図である。
【図４】本開示の実施形態による、接合テープの構成要素キャリアリールへの適用を示すグラフィック描写である。
【図５】本開示の実施形態による、接合テープの構成要素キャリアリールへの適用を示すグラフィック描写である。
【図６】本開示の実施形態による、接合テープの構成要素キャリアリールへの適用を示すグラフィック描写である。
【図７】本開示の実施形態による、接合テープの構成要素キャリアリールへの適用を示すグラフィック描写である。
【図８】本開示の実施形態による、接合テープの構成要素キャリアリールへの適用を示すグラフィック描写である。
【図９】本開示の実施形態による、接合テープの構成要素キャリアリールへの適用を示すグラフィック描写である。
【図１０】本開示の実施形態による、接合テープの構成要素キャリアリールへの適用を示すグラフィック描写である。
【図１１】本開示の実施形態による、接合テープの構成要素キャリアリールへの適用を示すグラフィック描写である。
【図１２】本開示の実施形態による、接合テープの構成要素キャリアリールへの適用を示すグラフィック描写である。
【図１３】本開示の実施形態による、接合テープの構成要素キャリアリールへの適用を示すグラフィック描写である。
【図１４】本開示の実施形態による、接合テープの構成要素キャリアリールへの適用を示すグラフィック描写である。
【図１５】本開示の実施形態による、整列固定具を用いた接合テープの構成要素キャリアリールへの適用を示すグラフィック描写である。
【図１６】本開示の実施形態による、整列固定具を用いた接合テープの構成要素キャリアリールへの適用を示すグラフィック描写である。
【図１７】本開示の実施形態による、整列固定具を用いた接合テープの構成要素キャリアリールへの適用を示すグラフィック描写である。
【図１８】本開示の実施形態による、整列固定具を用いた接合テープの構成要素キャリアリールへの適用を示すグラフィック描写である。
【図１９】本開示の実施形態による、整列固定具を用いた接合テープの構成要素キャリアリールへの適用を示すグラフィック描写である。
【図２０】本開示の実施形態による、整列固定具を用いた接合テープの構成要素キャリアリールへの適用を示すグラフィック描写である。
【図２１】本開示の実施形態による、整列固定具を用いた接合テープの構成要素キャリアリールへの適用を示すグラフィック描写である。
【図２２】本開示の実施形態による、代表的な接合後の８ｍｍ構成要素キャリアリールのグラフィック描写である。
【図２３】本開示の実施形態による、代表的な接合後の４ｍｍ構成要素キャリアリールのグラフィック描写である。
【図２４】本開示の実施形態による、代表的な接合後の２４ｍｍ構成要素キャリアリールのグラフィック描写である。
【図２５】本開示の実施形態による、代表的な接合後の２４ｍｍ構成要素キャリアリールのグラフィック描写である。
【発明を実施するための形態】
【００１８】
これらの非限定的な例において議論された特定の値および構成は、変更することが可能であり、単に少なくとも１つの実施形態を例示するために引用されており、その範囲を限定するようには意図されていない。
【００１９】
以下、本発明の例示的実施形態が示された添付の図面を参照して、実施形態をさらに詳しく説明する。本明細書に開示された実施形態は、多くの異なる形態で具現化されることが可能であり、本明細書に記載された実施形態に限定されると解釈されるべきではなく、むしろ、これらの実施形態は、本開示が十分かつ完全であり、当業者に発明の範囲が十分に伝わるように提供されるものである。全体を通じて、同様の番号は同様の要素を示す。本明細書で使用するように、「および／または」という用語は、記載された関連する事項のうち１つまたは複数のあらゆる組合せを含む。
【００２０】
本明細書で使用する専門用語は、特定の実施形態を説明するためだけのものであって、本発明を限定するものではない。本明細書で使用するように、単数形を示す「１つの」および「その」は、文脈がはっきりとそうでないことを示さない限り複数形も含むものとする。さらに当然のことながら、「備える」および／または「備えている」という用語が本明細書で使用される場合、記載された特徴、整数、段階、動作、要素および／または構成要素の存在を規定するが、１つまたは複数の他の特徴、整数、段階、動作、要素、構成要素および／またはこれらのグループの存在あるいはこれらの追加を除外するものではない。
【００２１】
別に定義されない限り、本明細書で使用する用語はすべて（技術的および科学的用語も含めて）この発明が属する技術分野の当業者によって一般に理解されるのと同じ意味を有する。さらに当然のことながら、一般に使用される様々な辞書で定義される用語などの用語は、関連技術に即した意味と一貫した意味を有するとして解釈されるべきであり、本明細書で明示的に定義しない限り、理想的な意味または過度に形式的な意味に解釈されるものではない。
【００２２】
図１は、本開示の実施形態による、構成要素キャリアリールを整列および接続するための接合テープ１００の第１の面、または「テープ面」を示している。構成要素キャリアリールは、あらゆる色またはデザインの、ポリエステルあるいはその他のプラスチック、高分子、または可撓性材料からなる薄膜接合テープ１００を利用して整列および接続することが可能である。接合された結合部は、強固だが柔軟であり、第１および第２の構成要素キャリアリールの結合部分での中断なく、追加された構成要素はリール内で整列されることが可能になる。接合テープ１００は、それぞれテープ面１０９を備える別々の部分１０４、１０５、１０６、１０７の間にあるスリット１０２、１０２’、１０２”を使用して分割することができる。本明細書においてさらに説明されるように、分割された部分１０４、１０５、１０６、１０７は、いずれかが、その他の部分を取り外しながら、構成要素キャリアリール結合部の特定の部分に接着する。接合テープ１００は、構成要素キャリアアリールに貼り付けられる際には、一般的に、第２のテープ部分１１５において折り曲げられる（符号１０３）。保護紙１１０の縁は、接合テープの第１の縁からわずかに延びている。接合テープ１００は、従来のリール接続接合設計による静電ショック誘発型のプラスチックキャリアを排除している。
【００２３】
接合テープ１００は、接合後の構成要素キャリアリールの軸方向または横方向での前後の動きを防ぐために、補剛材部１０７を有してもよい。接合テープ１００に補剛ストリップ１０７を含めるかは、構成要素キャリアリールのサイズによる。例えば、４ｍｍリールなどのより小さい構成要素キャリアリールでは、構成要素キャリアの送り孔の上の１０７の位置におけるように、構成要素キャリアリール間にある上部テープスプロケット送り孔側の結合部を効果的に固定する補剛ストリップの付加が不要である。あるいは、補剛ストリップは、例えば、図２３に図示されるように構成要素キャリア接合テープの下面に取り付けることが可能である。補剛材部１０７は、金属、または、テープ自体に組み込まれるか接合テープの別部分として付加される何らかの別のタイプの補剛材からなることが可能である。例えば、黄銅、銅、または青銅などの組み込まれている金属材料は、新しく送給される構成要素用に接合位置を決定するために、接合された構成要素キャリアリールを誘導感知または視覚感知するための補剛ストリップ１０７としての機能を果たすことが可能である。補剛ストリップ１０７は、構成要素のリール孔の視覚的遮断を通じて、または接合部に組み込まれている誘導感応材料の使用を通じて、第１および第２の接合された構成要素キャリアリール間の結合部を検出する手段としての機能を果たすことも可能である。誘導感知補剛金属は、構成要素キャリアリールの構成要素キャリア面上に組み込まれることが可能である。
【００２４】
接合テープ１００のテープ面１０９は、テープ部分１１４、１１５、１１６、１０７の間に、小さな切り込み１０８、あるいは凹みまたは溝を有し、接合テープ１００を構成要素キャリアリール間の結合部に貼り付けるときに、これらの部分を一つに保持するのを補助する。これらの切り込み１０８が、構成要素キャリアリールに対して接合テープ１００を整列させたり貼り付けたりする役割を果たすのではなく、接合テープ１００のテープ部分１１４、１１５、１１６、１０７間に追加的な支持や最初の連結性を与えることに注意することが重要である。
【００２５】
図１Ｂは、本開示の実施形態による、接合テープ１００の第２の面、または「保護紙面」を示している。接合テープ１００の保護紙面は、接着剤組成物２０９に覆われているテープ面に接着する保護紙１１０を備える。保護紙１１０は、構成要素キャリアリールに適切に取り付けるために接合テープ１００を掴む際に役立つ。その後、保護紙１１０を取り外して、テープの接着剤組成物２０９を露出させる。接着剤組成物２０９を使用して、構成要素キャリアリールに接合テープ１００を固定し、それによりリールを接続して、構成要素キャリアリールから様々な装置へと構成要素を載せる機械を通じてシームレスな送給を行う。
【００２６】
接合テープ１００の特定のテープ部分１１４、１１５、１１６、１０７を覆う保護紙１１０を取り外すことができるように、保護紙１１０は、別々の位置に配置されたスリット２０２’、２０２”を含むことができる。その後、特定のテープ部分１１４、１１５、１１６、１０７を覆っている接着剤組成物２０９が露出されて、強固だが柔軟な結合部を形成するべく構成要素キャリアリール上に接合テープ１００を接着させる。折り目１０３’は、構成要素キャリアリール間の結合部を形成するべく所定の位置にプライステープ１００を適切に折るガイドとして役立つ。
【００２７】
図２Ａおよび２Ｂは、それぞれ、本開示の実施形態による、接合テープ１００のテープ面および保護紙面の分解平面図を示している。テープ面にあるスリット１０２、１０２’、１０２”は、接合テープ１００の保護紙面の保護紙１１０にあるスリット２０２’、２０２”に対してずれている。スリット１０２は、補剛ストリップ１０７と、テープ材料１１４の第１の部分の上部とを分割している。スリット１０２’は、「カバーテープ部分」としても知られるテープ材料１１４からなる第１の部分の下部と、テープ材料１１５からなる第２の部分の上部とを分割している。スリット１０２”は、テープ材料１１５からなる第２部分の下部と、「構成要素キャリアリール部」としても知られるテープ材料１１６からなる第３の部分の上部とを分割している。スリット２０２’は、保護紙１１１からなる第１の部分の下部を、保護紙１１２からなる第２部分の上部から分割している。スリット２０２”は、保護紙１１２からなる第２部分の下部と、保護紙１１３からなる第３の部分の上部とを分割している。このずらしスリット配置によって、接合テープ１００を構成要素キャリアリールに貼り付ける際に、適切な整列、適切なテープ接着、および接着剤組成物２０９によって覆われたテープ面からの保護紙１１０の適切な取り外しが可能になる。
【００２８】
接合テープ１００のずらしスリット配置は、さらに、各テープ部分１１４、１１５、１１６および各保護紙部分１１１、１１２、１１３を互いに接着させて、保護紙に接着したテープからなる完成部分１０４、１０５、１０６を形成するのに役立つ。接合テープ１００の第１の完成部分１０４は、補剛ストリップ１０７と、テープ材料１１４からなる第１の部分と、接着剤２１４付きのテープ材料からなる第１の部分と、保護紙１１１からなる第１の部分とを備える。保護紙１１１からなる第１の部分は、テープ材料１１４からなる第１の部分の片面をわずかに超えて延びている。テープ材料１１４からなる第１の部分の下部は、保護紙１１１からなる第１の部分の下縁を超えて延びている。したがって、テープ材料２１４からなる第１の部分の下縁は、保護紙１１２からなる第２の部分の上部に接着する。
【００２９】
接合テープ１００の第２の完成部分１０５は、テープ材料１１５からなる第２の部分と、接着剤２１５付きのテープ材料からなる第２の部分と、折り目１０３、１０３’と、保護紙１１２からなる第２の部分とを備える。保護紙１１２からなる第２の部分は、テープ材料１１５からなる第２の部分の３辺（上縁、第１側縁、下縁）をわずかに超えて延びている。テープ材料１１５からなる第２の部分の第２側縁は、保護紙１１２からなる第２の部分の縁を超えて延びている。したがって、テープ材料２１６からなる第３の部分の上縁は、保護紙１１２からなる第２の部分の下部に接着し、テープ材料２１４からなる第１の部分の下縁は、保護紙１１２からなる第２の部分の上部に接着する。
【００３０】
接合テープ１００の第３の完成部分１０６は、テープ材料１１６からなる第３の部分と、接着剤２１６付きのテープ材料からなる第３の部分と、保護紙１１３からなる第３の部分とを備える。保護紙１１３からなる第３の部分は、テープ材料１１６からなる第３の部分の一辺を超えて延びている。テープ材料１１６からなる第３の部分の上部は、保護紙１１３からなる第３の部分の上縁を超えて延びている。したがって、テープ材料２１４からなる第１の部分の下縁は、保護紙１１２からなる第２の部分の上部に接着する。そして、テープ材料２１６からなる第３の部分の上縁は、保護紙１１２からなる第２の部分の下部に接着する。
【００３１】
図３は、本開示の実施形態による、接合テープのロールにおいて接続された接合テープ１００の複数のユニットのグラフィック描写を示している。図１Ａの保護紙１１０は、図１Ｂの接着剤組成物２０９付きのテープ材料に接着して、ロールまたはその他の送給機構から送給される無限単位の接合テープ１００を形成する。図３に示すように、所望の単位の接合テープ１００を接合テープ１００の複数の部分からなるロールから取り外すことができる。
【００３２】
接合テープを適用して、構成要素キャリアリール間に強固だが柔軟な結合部を形成することが図４〜図１４に説明されている。図４〜図１４では、代表的な８ｍｍの構成要素キャリアリールが図示されていることが分かる。本開示の接合テープは、あらゆるサイズの構成要素キャリアリールで使用することが可能であり、８ｍｍの構成要素キャリアリールだけに限定されない。さらに、図４〜図１４では、接合テープを構成要素キャリアリールに貼り付けるための代表的な手作業の方法を説明していることが分かる。本開示の接合テープは、手動、半自動、あるいは、自動のいずれかの方法で貼り付けられてよく、これらの特定の使用または適用の方法のいずれか一つに限定されるものではない。図１５〜図２１は、本開示の実施形態による、接合のためにリールを整列させる固定具を用いて本開示の接合テープを貼り付けて構成要素キャリアリールを接続する代表的な方法を示している。手または運搬具に搭載するツールを開発することができ、このツールでは、作業者が構成要素キャリアリールの端部をカットして用意し、そのリールの端部を同様の固定具の中に配置する。本開示の接合テープ１００のロールを使用することによって、ラベル貼り付け型機械などを使用する自動化システムによって、本明細書に開示されたように構成要素キャリアリールの上部および下部に接合テープを貼り付けることができる。自動または手動システムのいずれかにより、接合テープ１００を構成要素キャリアリールに適切に貼り付けたり、折り畳まれた接合テープ１００からなる取り外された部分を廃棄したりすることができるようになる。構成要素キャリアリールは、抵抗器、コンデンサ、またはＩＣを含む電気構成要素、またはネジなどの機械構成要素などの異なる構成要素のどんな数または組み合わせでも、または構成要素のどんな組み合わせでも搬送することができると理解される。
【００３３】
図４は、本開示の実施形態による、接合テープ１００を使用して整列される構成要素キャリアリール４０１、４０２を切断して整列させるための代表的マンドレル４１１を示している。マンドレル４１１は、はさみ４１０あるいはその他のあらゆるタイプの手動または自動の切断または裁断装置に取り付けられている。はさみ４１０に取り付けられたマンドレル４１１は、様々なサイズの構成要素キャリアリール４０１、４０２を裁断するのに役立つ。構成要素キャリアリール４０１、４０２の両端は、整列ピン４１２、４１３を使用して、はさみ４１０に取り付けられたマンドレル４１１上の適切な位置に整列される。整列ピン４１２、４１３は、さらなる整列のために構成要素キャリアリール４０１、４０２の送り孔４０５を受け入れる大きさに設定することもできる。はさみ４１０は、次に、構成要素キャリアリール４０１、４０２の端部を適切なサイズに裁断して、リール４０１、４０２間に適切な接続を形成する。
【００３４】
図５に示されるように、本開示の実施形態によれば、はさみ４１０に取り付けられたマンドレル４１１を使用してリール４０１、４０２を裁断する前に、キャリアリール４０１、４０２の上部カバーテープ４０８を持ち上げることができる。カバーテープ４０８は、構成要素キャリアリール４０１、４０２の構成要素ポケット４０７内の所定の場所に構成要素４５０を保持するのに使用される。はさみ４１０に取り付けられた代表的マンドレル４１１は、構成要素キャリアリール４０１、４０２を適切な大きさに切断する一方法の非限定的な例であることが理解される。この工程は、手動、半自動、あるいは、完全自動のいずれかで行われることができる。上部カバーテープ４０８および貼り付けられたあらゆる接合テープ１００を取り外すことによって、つまみ取りおよび配置（ｐｉｃｋｉｎｇ  ａｎｄ  ｐｌａｃｉｎｇ）のために構成要素４５０が露出される。貼り付けられた接合テープ１００が、機械を介した送給または上部カバーテープ４０８の取り外しを妨げることはない。構成要素キャリアリール４０１、４０２は、通常、構成要素ポケット４０７に構成要素４５０を有する。構成要素ピックアンドプレース機（図示せず）は、構成要素ポケット４０７内に構成要素４５０が装填された構成要素キャリアリール４０１、４０２を取り上げて、カバーテープ４０８を引き剥がし、ポケット４０７から構成要素４５０をつまみ取る。ピックアンドプレース機は、次に、電子機器またはその他のあらゆるタイプの装置において使用するために、構成要素４５０を回路基板へ配置する。
【００３５】
図６は、本開示の実施形態による、構成要素キャリアリール４０１、４０２へ適用される１単位分の接合テープ１００を示している。１単位の接合テープ１００は、補剛ストリップ１０７、テープ材料１１４からなる第１の部分、テープ材料１１５からなる第２の部分、テープ材料１１６からなる第３の部材から構成される。折り目１０３は、テープ材料１１５からなる第２の部分を２等分して、構成要素キャリアリールを間に挟んで接合テープ１００を折るガイドになる。切り込み１０８は、リールに貼り付けるまで、部分１０７、１１４、１１５、１１６を一つに保持するのに役立つ。
【００３６】
図７は、本開示の実施形態による、より小さい構成要素キャリアリールへの配置するために、補剛ストリップ１０７を任意で取り外す場合を示している。例えば、４ｍｍリールなどのより小さい構成要素キャリアリールでは、構成要素キャリア送り孔上の１０７の位置におけるように、構成要素キャリアリールの間の上部テープスプロケット送り孔側の結合部を効果的に固定する補剛ストリップの付加が不要となる。
【００３７】
図８では、保護紙１１１からなる第１の部分を接合テープ１００の第１の部分１０４から取り外して、接着面２１４を露出させる。図９では、テープ材料１１４からなる第１の部分と、補剛ストリップ１０７とが、キャリアリール４０１、４０２の上面４０３に貼り付けられ、構成要素ウェル４０７の上にある上部カバーテープ４０８の一部を覆う。図１０では、構成要素キャリアリール４０１、４０２を下面４０４に裏返す。保護紙１１３からなる第３の部分が、次に、テープ材料からなる第３の完成部分１０６から取り外され、接着剤２１６付きのテープ材料からなる第３の部分を露出する。図１１では、接着剤２１６付きのテープ材料からなる第３の部分と、折り目１０３’の上の接合テープの中央部分１０５からなる部分とが構成要素キャリアリール４０１、４０２の下面４０４に向かって折り畳まれる。図１２では、テープ材料１１６からなる第３の部分が、構成要素キャリアリール４０１、４０２の下面４０４に接着され、リール４０１、４０２の間に強固かつ柔軟な結合部を形成する。貼り付けられた接合テープ１００の第３の部分１１６は、構成要素ポケット４０７の外部４０６を覆うが、構成要素キャリアリール４０１、４０２の送り孔４０５を覆ったり、妨げたりしない。したがって、接合された構成要素キャリアリールは、後から構成要素を追加する機械を通して容易に送給される。
【００３８】
図１３では、接合テープ１００の折り畳まれた第２の部分１０５が、接合テープの第２の部分１０５の接着剤２１５に貼り付けられたままの保護紙１１２からなる第２の部分とともに、取り外される。構成要素キャリアリール４０１、４０２から垂れ下がっている接合テープ１００からなる折り畳まれた第２の部分１０５は、せん断運動によって、接合されたリール結合部から簡単に取り外すことができる。完成テープ部分１０５の取り外しによって、構成要素４５０を傷つける可能性のある静電ショックが引き起こされることはない。図１４は、貼り付けられたテープ部分１０７、１１４を表して、接合テープ１００が貼り付けられた状態の完成後の接合された構成要素キャリアリール４０１、４０２を示している。
【００３９】
図１５〜図２１は、本開示の実施形態による、接合のために構成要素キャリアリール４０１、４０２を整列させる整列固定具４２０を使用して、本開示の接合テープ１００を構成要素キャリアリールへ適用する代表的な方法を示している。図１５において、構成要素キャリアリール４０１は、構成要素キャリアリール４０１、４０２の整列において補助となる代表的整列固定具４２０の上に整列される。整列固定具４２０は、例えば、プラスチックまたは金属などのあらゆるタイプの硬い材料から構成されることができる。構成要素キャリアリール４０１の送り孔４０５は、整列固定具４２０から外側へ延伸するいくつでもよい整列ピン４２１〜４３１を使用して、整列固定具４２０の上に整列されることができる。整列ピン４２１〜４３１は、様々なサイズの構成要素キャリアリール４０１の様々なサイズの送り孔４０５を受け入れる大きさに設定することができる。整列ピン４２１、４２２、４２３は、構成要素キャリアリール４０２の送り孔４０５を受け入れ嵌め合うように大きさが設定される。整列固定具４２０を使用して整列された場合、構成要素キャリアリール４０１、４０２は、図１６に示されるように、横方向に整列して、結合部を形成する。
【００４０】
図１７は、本開示の実施形態による、整列固定具４２０を使用した、接合テープ１００の構成要素キャリアリール４０１、４０２への貼り付けを示している。保護紙１１１からなる第１の部分が、まず、支持ストリップ１０７および第１のテープ部分１１４の裏から取り外されて、その接着面２１４が露出される。支持ストリップ１０７の接着面が、構成要素キャリアリール４０１、４０２の結合部の送り孔４０５を覆って貼り付けられる。第１のテープ部分の１１４の接着面２１４は、構成要素キャリアリール４０１、４０２の上部カバーテープ４０８の上に貼り付けられる。したがって、スリット１０２’は、構成要素キャリアリール４０１、４０２の縁と平行に整列される。
【００４１】
図１８では、次に、保護紙１１３からなる第３の部分が、接合テープ１００の第３の部分１１６の裏から取り外されて、接着面２１６（図示せず）が露出される。その後、第３のテープ部分１１６は、図１９に示されるように、構成要素キャリアリール４０１、４０２の下面に向かって、折り畳まれる。接合テープは、部分１１５を二等分する折り目１０３で半分に折り畳まれる。図２０において、接合テープ１００の部分１１６の接着面２１６は、構成要素キャリアリール４０１、４０２の裏に貼り付けられる。整列固定具４２０は、接合テープ１００の貼り付けを妨げることはなく、むしろ、リール４０１と４０２との間に正確な接合を形成するために整列を補助する。
【００４２】
次に、接合テープ１００の第２の完成部分１０５は、図２１に示されるように、貼り付けられた部分１０７、１１４、１１６から引きはがされる。接合テープ１００の第２の完成部分１０５は、貼り付けられた部分１１４と１１６とから、それぞれ、スリット１０２’とスリット１０２”で切り取られる。第２の保護紙１１２は、第２のテープ部分１１５の裏に貼り付けられたままである。図２２では、構成要素キャリアリール４０１、４０２が、整列固定具４２０から取り外され、構成要素ピックアンドプレース機（図示せず）を通して送給される状態になっている。
【００４３】
図２３〜図２５は、本開示の実施形態による代表的構成要素キャリアリール５０１、５０２、６０１、６０２、７０１、７０２のグラフィック描写を示している。本明細書に開示された接合テープは、特定のサイズまたは寸法に限定されないことを理解されたい。本開示の接合テープを使用してどんなサイズの構成要素キャリアリールも接続が可能であることをさらに理解されたい。図２３では、接合テープ５００が、図４〜図２１に記載された本開示の実施形態による構成要素キャリアリール５０１、５０２の下面、あるいは「ポケット面」に貼り付けられている。代表的な４ｍｍリール５０１、５０２などのより小さい構成要素キャリアリールでの使用に際しては、金属化支持ストリップ１０７は、リール５０１、５０２を接続するために使用することも可能であるし、図４〜図２１で開示された実施形態による取り付けを可能にするために取り外すことも可能である。カバーテープ側では、非金属化テープ６００を使用して、構成要素リール６０１、６０２の端部を接続する。４ｍｍ構成要素キャリアリールは、代表的リールであって、より小さい構成要素キャリアリールに本開示の接合テープ１００を貼り付けることを表し、４ｍｍリールへの適用のみに限定されるものではない。
【００４４】
図２４および図２５は、本開示の実施形態による、２４ｍｍ構成要素キャリアリール７０１、７０２への接合テープ７００、８００の適用を示している。接合テープ８００は、図４〜図２１において説明されたステップを用いて２回適用されている。２４ｍｍ構成要素キャリアリールは、より大きい構成要素キャリアリールへの本開示の接合テープ１００の貼り付けを示す代表的リールであり、２４ｍｍリールへの貼り付けだけに限定されるものではない。より大きい構成要素キャリアリール７０１、７０２については、構成要素キャリアリール結合部に追加的な支持が必要になることがある。本開示の接合テープは、図４〜図２１に説明されたように、２４ｍｍ構成要素キャリアリール７０１、７０２の両面に貼り付けられる。構成キャリアリールの下面で接合テープ７００からなる追加部分を使用してさらなる支持を追加してもよい。
【００４５】
上述の特徴およびその他の特徴および機能、またはそれらの代替物を、多くのその他の異なるシステムやアプリケーションに好適に組み合わせてもよいことが理解されよう。現在のところ予測できないあるいは予期しないさまざまな代替、修正、変更、及び、改良が、当業者によって今後生み出される可能性があるが、これらも以下の請求項によって包含されるように意図されている。
【図１Ａ】
2013544306.tif 000003
【図１Ｂ】
2013544306.tif 000004
【図２Ａ】
2013544306.tif 000005
【図２Ｂ】
2013544306.tif 000006
【図３】
2013544306.tif 000007
【図４】
2013544306.tif 000008
【図５】
2013544306.tif 000009
【図６】
2013544306.tif 000010
【図７】
2013544306.tif 000011
【図８】
2013544306.tif 000012
【図９】
2013544306.tif 000013
【図１０】
2013544306.tif 000014
【図１１】
2013544306.tif 000015
【図１２】
2013544306.tif 000016
【図１３】
2013544306.tif 000017
【図１４】
2013544306.tif 000018
【図１５】
2013544306.tif 000019
【図１６】
2013544306.tif 000020
【図１７】
2013544306.tif 000021
【図１８】
2013544306.tif 000022
【図１９】
2013544306.tif 000023
【図２０】
2013544306.tif 000024
【図２１】
2013544306.tif 000025
【図２２】
2013544306.tif 000026
【図２３】
2013544306.tif 000027
【図２４】
2013544306.tif 000028
【図２５】
2013544306.tif 000029
【国際調査報告】
2013544306.tif 000030
2013544306.tif 000031